(57)【要約】【課題】リモートコントローラを無線マウスとして使用するコンピュータシステムを提供する。【解決手段】ユーザの選択により異なる無線信号を出力する複数の機能選択ボタンを有するリモートコントローラ１０と，リモートコントローラ１０から出力された無線信号に従ってシステム機能を制御するシステム制御部を含むコンピュータシステムの制御方法であって，リモートコントローラ１０の各機能選択ボタン１４から出力される無線信号の種類に対応するマウス制御機能を予め設定する段階；リモートコントローラ１０から無線信号が出力される段階；リモートコントローラ１０の使用モードがマウス機能の実現のためのマウスモードであるか否かを確認する段階；リモートコントローラ１０の使用モードがマウスモードの場合に，入力された無線信号をマウス機能制御信号に切り替えてシステム制御部に提供する段階；を含む。【選択図】　図１
2004062852.tif 000002
【特許請求の範囲】
【請求項１】
ユーザの選択により異なる無線信号を出力する複数の機能選択ボタンを有するリモートコントローラと，前記リモートコントローラから出力された前記無線信号に従ってシステム機能を制御するシステム制御部と，を含むコンピュータシステムの制御方法であって，
前記リモートコントローラの各機能選択ボタンから出力される前記無線信号の種類に対応するマウス制御機能を予め設定する段階と；
前記リモートコントローラから前記無線信号が入力される段階と；
前記リモートコントローラの使用モードがマウス機能の実現のためのマウスモードであるか否かを確認する段階と；
前記リモートコントローラの使用モードが前記マウスモードであると確認された場合に，入力された前記無線信号を予め設定した前記マウス制御機能の実行のためのマウス機能制御信号に切り替えて，前記システム制御部に提供する段階と；
を含むことを特徴とする，コンピュータシステムの制御方法。
【請求項２】
前記リモートコントローラの使用モードが前記マウスモードでないと確認された場合に，前記無線信号を前記システム制御部にバイパスする段階をさらに含むことを特徴とする，請求項１に記載のコンピュータシステムの制御方法。
【請求項３】
前記リモートコントローラの各機能選択ボタンから出力される前記無線信号の種類に対応するマウス制御機能を予め設定する段階は，前記マウスモードの選択のためのマウスモード選択機能を設定する段階と，
前記ユーザの前記マウスモード選択機能の選択により，前記リモートコントローラの使用モードが前記マウスモードに切り換わる段階とをさらに含むことを特徴とする，請求項１または２のいずれか１項に記載のコンピュータシステムの制御方法。
【請求項４】
前記リモートコントローラの使用モードが前記マウスモードであると確認された場合に，入力された前記無線信号を前記マウス制御機能の実行のためのマウス機能制御信号に変換して前記システム制御部に提供する段階は，前記システムのＯＳに基づくアプリケーションプログラムにより行われることを特徴とする，請求項１，２，または３のうちのいずれか１項に記載のコンピュータシステムの制御方法。
【請求項５】
ユーザの選択によりそれぞれ異なる無線信号を出力する複数の機能選択ボタンを有するリモートコントローラと，コンピュータ制御部に設けられて前記リモートコントローラから出力された前記無線信号に従ってシステム機能を制御するＯＳと，を含むコンピュータシステムであって，
前記コンピュータ本体に設けられ，前記リモートコントローラの各機能選択ボタンに付与されたマウス制御命令が貯蔵されるマウス制御命令貯蔵部と；
前記リモートコントローラの使用モードをマウス機能の実現のためのマウスモードに切換えるためのマウスモード選択部と；
前記マウスモード選択部を通じて前記リモートコントローラの使用モードが前記マウスモードに切り換わった場合に，前記リモートコントローラから送信された前記無線信号を前記マウス制御命令信号に切り替えて，前記システム制御部に提供する無線信号制御部と；
を含むことを特徴とする，コンピュータシステム。
【請求項６】
前記無線信号制御部は，前記リモートコントローラの使用モードが前記システム機能の制御のためのシステム制御モードである場合に，前記リモートコントローラから受信された前記無線信号を前記システム制御部にバイパスすることを特徴とする，請求項５に記載のコンピュータシステム。
【請求項７】
前記無線信号制御部は，ＯＳに基づくアプリケーションにより実現されることを特徴とする，請求項５または６のいずれか１項に記載のコンピュータシステム。
【請求項８】
ユーザの選択によりそれぞれ異なる無線信号を出力する複数の機能選択ボタンを有するリモートコントローラと，前記リモートコントローラから出力された前記無線信号に従ってシステム機能を制御するＯＳと，を含むコンピュータシステムの制御方法であって，
前記リモートコントローラの各機能選択ボタンから出力される前記無線信号の種類に対応するマウス制御機能を予め設定する段階と；
ユーザの前記機能選択ボタンの選択により出力された無線信号が前記ＯＳに伝達される段階と；
前記ＯＳに伝達された前記無線信号をフッキングする段階と；
前記リモートコントローラの使用モードがマウス機能の実現のためのマウスモードであるか否かを確認する段階と；
前記リモートコントローラの使用モードが前記マウスモードである場合に，前記無線信号により予め設定された前記マウス制御機能の実現のためのマウス制御信号を生成して前記ＯＳに伝達する段階と；
を含むことを特徴とする，コンピュータシステムの制御方法。
【発明の詳細な説明】
【０００１】
【発明の属する技術分野】
本発明は，コンピュータシステムに係り，より詳細には，別途の装置を装着せずに，リモートコントローラを無線マウスとして使用することができるコンピュータシステム及びコンピュータシステムの制御方法に関する。
【０００２】
【従来の技術】
近年のコンピュータシステムには，ＰＣのリモートコントローラを用いてコンピュータを遠隔制御することができる製品がある。現在開発されているＰＣのリモートコントローラは，ユーザがテレビやオーディオシステム等の家電製品を制御するようにコンピュータシステムを制御することができる。これにより，ユーザは，コンピュータのオン・オフだけでなく，Ｗｉｎｄｏｗｓ（登録商標）等の特定プログラム（例えば，閲覧ソフト；Ｉｎｔｅｅｒｎｅｔ　Ｅｘｐｌｏｒｅｒ（登録商標）など）を実行することにより，簡単なウェブサーフィンをしたり，Ｗｉｎｄｏｗｓ（登録商標）用ホットキー（Ｈｏｔ　ｋｅｙ）を遠隔制御することにより，パソコン機能をほとんど制御したりすることができる。
【０００３】
しかしユーザは，ＰＣのリモートコントローラの機能選択ボタンに付与された機能だけしか実行させることができず，ＰＣのリモートコントローラで実行できるコンピュータ機能が限られている。また，ＰＣのリモートコントローラは，単に，プログラムを実行したり終了したりする機能のみを有しているだけで，データを入力したり選択したりする等の入力装置としての機能を行うには不十分である。
【０００４】
このような問題の解決のため，マウス機能をリモートコントローラに備える方法及びそれによる製品（例えば，特許文献１参照）が開発された。この場合，リモートコントローラキーの操作に従ってマウスの移動方向及び移動速度などを算出し，その算出データをコンピュータシステムに無線送信することにより，リモートコントローラでもマウス機能を実現することができる。
【０００５】
【特許文献１】
韓国特許登録番号第１０−０２１６３４０号公報
【０００６】
【発明が解決しようとする課題】
しかし，「特許文献１」に記載される発明は，リモートコントローラがキー操作に従ってマウス移動方向などを自ら算出して出力しなければならず，リモートコントローラに上記機能を実行するための構成要素を追加しなければならない。
【０００７】
また，「特許文献１」に記載される発明によると，リモートコントローラから出力される信号は，マウスの動きをデータとして換算したＩ／Ｏ制御部に入力すべき信号である。従って，「特許文献１」に記載される発明によるリモートコントローラがマウス機能を実行するためには，コンピュータ本体に設けたリモートコントローラ受信装置を，入力された信号をＩ／Ｏ制御部に伝達できるように設計しなければならない。
【０００８】
このように「特許文献１」に記載される発明では，リモートコントローラを用いてマウス機能を実現するために，リモートコントローラ及びコンピュータ本体のリモートコントローラ受信装置に，新しい構成要素を追加して設計変更しなければならない。
【０００９】
そこで，本発明は，別途の装置を追加せずに，リモートコントローラを無線マウスとして使用することができるコンピュータシステム及びコンピュータシステムの制御方法を提供することを目的とする。
【００１０】
【課題を解決するための手段】
上記課題を解決するため，本発明の主たる観点によれば，ユーザの選択により異なる無線信号を出力する複数の機能選択ボタンを有するリモートコントローラと，リモートコントローラから出力された無線信号に従ってシステム機能を制御するシステム制御部とを含むコンピュータシステムの制御方法であって，リモートコントローラの各機能選択ボタンから出力される無線信号の種類に対応するマウス制御機能を予め設定する段階と；リモートコントローラから無線信号が入力される段階と；リモートコントローラの使用モードがマウス機能の実現のためのマウスモードであるか否かを確認する段階と；リモートコントローラの使用モードがマウスモードであると確認された場合に，入力された無線信号を予め設定したマウス制御機能の実行のためのマウス機能制御信号に切り替えて，システム制御部に提供する段階と；を含むことを特徴とするコンピュータシステムの制御方法が提供される。
【００１１】
このような構成により，別途の装置を追加せずに，リモートコントローラを無線マウスとして使用することができる。
【００１２】
ここで，リモートコントローラの使用モードがマウスモードでないと確認された場合に，無線信号をシステム制御部にバイパスする段階をさらに含むことが好ましい。
【００１３】
また，リモートコントローラの各機能選択ボタンから出力される無線信号の種類に対応するマウス制御機能を予め設定する段階は，マウスモードの選択のためのマウスモード選択機能を設定する段階をさらに含み，ユーザのマウスモード選択機能の選択により，リモートコントローラの使用モードがマウスモードに切り換わる段階をさらに含み，リモートコントローラでマウスモードを選択できるようにすることが好ましい。
【００１４】
ここで，リモートコントローラの使用モードがマウスモードであると確認された場合に，入力された無線信号をマウス制御機能の実行のためのマウス機能制御信号に変換してシステム制御部に提供する段階は，システムのＯＳ（Ｏｐｅｒａｔｉｏｎ　Ｓｙｓｔｅｍ）に基づくアプリケーションプログラムにより行われることが好ましい。
【００１５】
また，上記課題を解決するため，本発明の他の観点によれば，ユーザの選択によりそれぞれ異なる無線信号を出力する複数の機能選択ボタンを有するリモートコントローラと，コンピュータ制御部に設けられてリモートコントローラから入力された無線信号に従ってシステム機能を制御するＯＳとを含むコンピュータシステムであって，コンピュータ本体に設けられ，リモートコントローラの各機能選択ボタンに付与されたマウス制御命令が貯蔵されるマウス制御命令貯蔵部と；リモートコントローラの使用モードをマウス機能の実現のためのマウスモードに切換えるためのマウスモード選択部と；マウスモード選択部を通じてリモートコントローラの使用モードがマウスモードに切り換わった場合に，リモートコントローラから送信された無線信号をマウス制御命令信号に切り替えて，システム制御部に提供する無線信号制御部と；を含むことを特徴とするコンピュータシステムが提供される。
【００１６】
【発明の実施の形態】
以下に，本発明の実施の形態を，図面を用いて説明する。なお，本明細書及び図面において，実質的に同一の機能構成を有する構成要素については，同一の符号を付することにより重複説明を省略する。
【００１７】
図１は，本発明の一実施形態によるコンピュータシステムの斜視図である。図面に示すように，本実施形態によるコンピュータシステムは，システム構成要素が搭載されるコンピュータ本体１と，本体１からの映像信号を表示するモニタ３と，コンピュータ本体１に連結された入力装置であるキーボード５及びマウス７と，システムを遠隔制御するためのリモートコントローラ１０と，を含む。
【００１８】
本体１は，データ演算及び処理のためのシステム構成要素を含み，マウス７及びキーボード５により入力されるデータを処理し，モニタ３にデータを表示する。
【００１９】
ここで，本体１の所定の領域には，リモートコントローラ１０からの無線信号を受信するためのリモートコントローラ受信装置（図示せず）が設けられており，リモートコントローラ１０からの無線信号が入力され，入力された信号に従って制御が行われる。
【００２０】
リモートコントローラ１０はユーザの選択のための複数の機能選択ボタン１４を有し，ユーザが機能選択ボタン１４を選択すると，選択された機能に該当する信号コードを有する無線信号を本体１に送信する。リモートコントローラ１０により実行されるコンピュータシステムの機能は，例えば，ＤＶＤ再生，オーディオ再生，テレビ視聴，またはＷｉｎｄｏｗｓ（登録商標）のアプリケーションプログラムの起動などがあり，このような機能がそれぞれの機能選択ボタン１４に付与される。
【００２１】
また，本発明によるコンピュータシステムのリモートコントローラ１０は，マウスモード選択ボタン１２をさらに含んで，ユーザがマウスモード選択ボタンを選択するとリモートコントローラ１０の使用モードをマウスモードに切換えることができる。マウスモードに切り換わると，リモートコントローラ１０を無線マウスとして活用することができる。その後，ユーザは，リモートコントローラ１０の機能選択ボタン１４を操作することにより，モニタ３のマウスカーソル９を移動させたり，特定のアイコンをクリックしたり，Ｗｉｎｄｏｗｓ（登録商標）窓を移動させたりする等の作業を行うことができる。
【００２２】
図２は，本実施形態によるコンピュータシステムの，ハードウェア構成要素の制御ブロック図である。図面に示すように，コンピュータシステムは，中央演算処理装置であるＣＰＵ２２と，メインメモリ２６と，ＢＩＯＳが貯蔵されたＢＩＯＳ　ＲＯＭ２４と，システムバス２０と，モニタ３を制御するビデオ制御部２８と，キーボード５及びマウス７を制御するＩ／Ｏ制御部３０とを含み，リモートコントローラ１０からの無線信号を受信するための無線受信装置５０をさらに含む。
【００２３】
無線受信装置５０は，リモートコントローラ１０から出力される無線信号を受信する無線信号受信部５２と，無線信号受信部５２を通じて受信された無線信号をシステムバス２０を通じてＣＰＵ２２に伝達するマイコン５４とを含む。
【００２４】
このような構成により，ユーザがリモートコントローラ１０の機能選択ボタン１４を選択すると，リモートコントローラ１０から出力された無線信号が，本体１に設けられた無線受信装置５０の無線信号受信部５２に受信され，マイコン５４を通じてシステムに伝達される。
【００２５】
キーボード５及びマウス７を通じてＩ／Ｏ制御部３０に入力される入力信号と，リモートコントローラ１０を通じて無線受信装置５０に入力される無線信号は，ＣＰＵ２２の制御によりコンピュータシステムの入力信号として処理されて，ビデオ制御部２８を通じてモニタ３に表示されたり，特定プログラムを実行させたりする。
【００２６】
リモートコントローラ１０は，ユーザの選択により，リモートコントローラモードまたはマウスモードで使用できる。このようなモードの切換は，後述する無線信号制御プログラムにより認識されることで行われる。リモートコントローラ１０の使用モードに関わらず，リモートコントローラ１０から出力される無線信号は，各機能選択ボタン１４に予め付与された無線信号が出力される。
【００２７】
図３は，本実施形態によるコンピュータシステムの，ソフトウェア構成要素の制御ブロック図である。図面に示すように，本実施形態によるコンピュータシステムは，ハードウェアである無線受信装置５０に入力された無線信号をシステムが認識可能な信号に切り替えるリモートコントロールドライバ６４と，リモートコントロールドライバ６４を通じて入力された無線信号をマウス機能の実現のためのマウス制御信号に切り替える無線信号制御プログラム６２と，を含む。
【００２８】
リモートコントロールドライバ６４は，無線受信装置５０を制御するプログラムであって，ハードウェアである無線受信装置５０とシステムとの間の論理的な結合のためのソフトウェアである。リモートコントロールドライバ６４は，無線受信装置５０を初期化させたり，無線受信装置５０から入力される無線信号をシステムに有効なシステム制御信号に切り替える。
【００２９】
無線信号制御プログラム６２は，ＯＳ６０に基づいて行われるアプリケーションであって，リモートコントロールドライバ６４からＯＳ６０に伝達される無線信号をフッキングして，リモートコントローラ１０の使用モードに従ってそれぞれ異なる実行命令を発生させる。以下，ＯＳ６０がＷｉｎｄｏｗｓ（登録商標）である場合を例にして，無線信号制御プログラム６２に対してさらに詳しく説明する。
【００３０】
リモートコントローラ１０の使用モードは，ユーザの選択により切り換わるが，リモートコントローラ１０の使用モードが切り換わっても，リモートコントローラ１０の各機能選択ボタン１４から出力される無線信号は変わらない。代わりに，同一の機能選択ボタン１４から出力される同じ無線信号が，リモートコントローラ１０の使用モードに従って，無線信号制御プログラム６２によりそれぞれ異なる命令として認識される。
【００３１】
これにより，無線信号制御プログラム６２には，リモートコントローラ１０の使用モードに従ってそれぞれ設定されたマウス制御機能に対する情報が含まれている。それぞれの機能選択ボタン１４に付与されたマウス制御機能は，無線信号制御プログラム６２の設置の際などに，ユーザにより設定できる。
【００３２】
ユーザは，リモートコントローラ１０のマウスモード選択ボタン１２を選択することにより，リモートコントローラ１０の使用モードを切換えることができる。あるいは，リモートコントローラ１０の随意の機能選択ボタンにマウスモード選択機能を設定して，これを選択することによっても，リモートコントローラ１０の選択モードを切換えることができる。
【００３３】
無線信号制御プログラム６２は，Ｗｉｎｄｏｗｓ（登録商標）ＯＳ６０のブートとともに実行されて，リモートコントロールドライバ６４からＯＳ６０に伝達される無線信号をフッキングする。リモートコントローラ１０のマウスモード選択ボタン１２を通じて使用モードが切り換わる場合に，無線信号制御プログラム６２は，フッキングされた無線信号を確認してリモートコントローラ１０の使用モードが切り換わったことを確認することができる。
【００３４】
リモートコントローラ１０の使用モードがリモートコントローラモードである場合に，無線信号制御プログラム６２は，リモートコントロールドライバ６４から伝達された無線信号をそのままＯＳ６０に伝達する。これにより，ＯＳ６０は，リモートコントローラ１０で選択された機能に従って，オーディオを再生させたり，Ｗｉｎｄｏｗｓ（登録商標）アプリケーションプログラムを実行させたりする等のシステム制御機能を行う。
【００３５】
一方，リモートコントローラ１０の使用モードがマウスモードである場合に，無線信号制御プログラム６２は，リモートコントロールドライバ６４から伝達された無線信号をマウス制御命令に切換えてＯＳ６０に伝達する。ＯＳ６０は，無線信号制御プログラム６２から伝達されるマウス制御命令に従って，マウスカーソル９の動きの制御，マウスクリック，ダブルクリックまたはスクロール機能等を行う。
【００３６】
ここで，リモートコントローラ１０の機能選択ボタン１４に付与されるマウス制御機能は，ユーザにより予め設定することができる。即ち，ユーザは，無線信号制御プログラム６２の初期設置時に，リモートコントローラ１０の機能選択ボタン１４にそれぞれマウス制御機能を予め設定し，後に，無線信号制御プログラム６２が，マウスモードの実行時に，各機能選択ボタン１４から出力される無線信号に応ずるマウス制御命令をＯＳ６０に伝達する。
【００３７】
一方，無線信号制御プログラム６２を通じて発生されたマウス制御命令は，実際Ｉ／Ｏ制御部３０に連結された実際マウス７を使用する場合に発生する制御命令と同じである。従って，ＯＳ６０は，無線信号制御プログラム６２が発生させるマウス制御命令を実際マウス７の動きにより発生するマウス制御命令と同一に認識する。
【００３８】
このように，本実施形態によるコンピュータシステムの無線信号制御プログラム６２は，ＯＳ６０に常住しながら，リモートコントロールドライバ６４からＯＳ６０に伝達される無線信号をフッキングし，リモートコントローラ１０の使用モードに応じて，無線信号をＯＳ６０にバイパスしたり，ＯＳ６０にマウス制御命令を伝達したりする。
【００３９】
即ち，リモートコントローラ１０から出力される信号とリモートコントロールドライバ６４を通じて伝達される無線信号とは変わらないが，特定無線信号（マウスモードを選択した信号）が伝達された後の無線信号は，無線信号制御プログラム６２によりマウス制御命令に切替わってＯＳ６０に伝達される。無線信号制御プログラム６２は，ＯＳ６０に基づいて行われるアプリケーションとして実現することができる。
【００４０】
以上の構成を有する本実施形態によるコンピュータシステムの制御フローを，図４を参照しながら詳細に説明する。
【００４１】
まず，Ｓ５で，無線信号制御プログラム６２を利用してリモートコントローラ１０の機能選択ボタン１４に対してマウス制御機能を予め設定する（Ｓ５）。
【００４２】
Ｓ１０で，コンピュータシステムのシステムブートが完了されると（Ｓ１０），Ｓ１２で，ＯＳ６０が起動する（Ｓ１２）。ＯＳ６０が起動すると，Ｓ１４で，無線信号制御プログラム６２が自動的に実行される（Ｓ１４）。ここで，無線信号制御プログラム６２の実行は，ユーザの選択により実行するようにもできる。
【００４３】
コンピュータシステムのブートの完了後，ユーザがリモートコントローラ１０でコンピュータシステムを制御する場合，無線信号は無線信号受信部５２に受信されて，Ｓ１６で，リモートコントロールドライバ６４を通じてシステムに伝達される（Ｓ１６）。ここで，無線信号制御プログラム６２は，リモートコントロールドライバ６４からＯＳ６０に伝達される無線信号をフッキングする。
【００４４】
無線信号をフッキングした無線信号制御プログラム６２は，Ｓ１８で，現在のリモートコントローラの使用モードを確認し（Ｓ１８），現在のリモートコントローラ１０の使用モードがリモートコントローラモードである場合に，無線信号をＯＳ６０にバイパスして，Ｓ２２で，入力された無線信号に従ってシステム機能が制御されるようにする（Ｓ２２）。ここで，ＯＳ６０は，リモートコントロールドライバ６４から伝達された無線信号に従って，システム制御命令を発生させてシステム機能が実行されるようにする。
【００４５】
一方，現在リモートコントローラ１０の使用モードがマウスモードである場合に，無線信号制御プログラム６２は，無線信号をマウス機能の制御のためのマウス制御命令に切り替えてＯＳ６０に伝達することにより，Ｓ２０で，入力されたマウス信号に従ってマウスカーソル９が制御され，マウス入力機能が実行されるようにする（Ｓ２０）。
【００４６】
図５は，以上の制御が行われる場合に，コンピュータシステム内の信号の流れを示した図である。図面に示すように，ユーザの機能選択ボタン１４の選択によりリモートコントローラ１０から出力された無線信号は，Ｐ１０で，無線受信装置５０の無線信号受信部５２に受信される（Ｐ１０）。無線信号受信部５２に受信された無線信号は，そのままマイコン５４に伝達され，Ｐ１２で，無線受信装置５０のマイコン５４は無線信号をコーディングしてリモートコントロールドライバ６４に伝達する（Ｐ１２）。リモートコントロールドライバ６４は，Ｐ１４で，無線受信装置５０から入力された無線信号をシステムに有効なシステムコードにコーディングしてＯＳ６０に伝達する（Ｐ１４）。無線信号制御プログラム６２は，リモートコントロールドライバ６４からＯＳ６０に伝達される無線信号をフッキングし，Ｐ１６で，現在リモートコントローラ１０の使用モードがマウスモードであるか否かを確認する（Ｐ１６）。その結果，マウスモードが選択されない場合，無線信号制御プログラム６２は，Ｐ２２で，リモートコントロールドライバ６４から伝達された無線信号をＯＳ６０にバイパスしてシステム機能が制御されるようにする（Ｐ２２）。
【００４７】
一方，リモートコントローラ１０の使用モードがマウスモードである場合，Ｐ２０で，無線信号制御プログラム６２は，リモートコントロールドライバ６４から伝達された無線信号をマウス機能の制御のためのマウス制御命令に切り替えてＯＳ６０に伝達することにより，無線信号によりマウス機能が制御されるようにする（Ｐ２０）。
【００４８】
以上説明したように，本実施形態によるコンピュータシステムは，リモートコントローラを使用できるコンピュータシステムであって，リモートコントローラ及びリモートコントローラドライバ等の構成要素から入出力される信号をＯＳのアプリケーションレベルで感知及び制御してＯＳに伝達することにより，リモートコントローラが無線マウスとして使用されることができる。
【００４９】
ここで，リモートコントローラの使用モードは，アプリケーションプログラムにより認識されて，同一の無線信号が入力されても，アプリケーションプログラムの制御によってシステム制御命令を発生したり，マウス制御命令を発生したりするようにしている。
【００５０】
これにより，ユーザは従来のリモートコントローラを利用したコンピュータシステムに，アプリケーションプログラムをインストールするだけでリモートコントローラを無線マウスとして使用することができる。
【００５１】
以上，本発明に係るコンピュータシステム及びコンピュータシステムの制御方法の好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【００５２】
【発明の効果】
本発明によると，別途の装置を追加せずに，リモートコントローラを無線マウスとして使用することができるコンピュータシステム及びコンピュータシステムの制御方法が提供された。
【図面の簡単な説明】
【図１】本発明の実施形態によるコンピュータシステムの斜視図である。
【図２】図１のコンピュータシステムのハードウェア構成要素の制御ブロック図である。
【図３】本発明の実施形態によるコンピュータシステムのソフトウェア構成要素の制御ブロック図である。
【図４】本発明の実施形態によるコンピュータシステムの制御フローチャートである。
【図５】本発明の実施形態によるコンピュータシステムの信号フローチャートである。
【符号の説明】
１　　本体
３　　モニタ
５　　キーボード
７　　マウス
９　　マウスカーソル
１０　　リモートコントローラ
１２　　マウスモード選択ボタン
１４　　機能選択ボタン
２０　　システムバス
２２　　ＣＰＵ
２４　　ＢＩＯＳ　ＲＯＭ
２６　　メモリ
２８　　ビデオ制御部
３０　　Ｉ／Ｏ制御部
５０　　無線受信装置
５２　　無線信号受信部
５４　　マイコン
６０　　ＯＳ
６２　　無線信号制御プログラム
６４　　リモートコントロールドライバ
【図１】
2004062852.tif 000003
【図２】
2004062852.tif 000004
【図３】
2004062852.tif 000005
【図４】
2004062852.tif 000006
【図５】
2004062852.tif 000007